(57)【要約】【課題】収差が発生しないパララックスの補正機構を備える双眼拡大鏡を提供する。【解決手段】光軸に対して前後方向に移動して焦点調節または変倍操作を行う対物レンズ１Ｌ、１Ｒと、接眼レンズ３Ｌ、３Ｒとを備える左右２つの光学系を有する双眼拡大鏡である。対物レンズ１Ｌ、１Ｒの前方に、等しい偏角を有し、前記対物レンズ１の前後方向への移動に連動して光軸に対して互いに逆方向に回転する左右２枚のウェッジプリズム２Ｌ、２Ｒを備える。観察物との距離に応じて観察物からの光の光路を変化させ、観察物を常に視野の中心で観察することができる。したがって、対物レンズ１Ｌ、１Ｒの光軸と、接眼レンズ３Ｌ、３Ｒの光軸とを一致させた状態で焦点調節または変倍操作を行うことができ、コマ収差を発生させずにパララックスの補正をすることができる。【選択図】図１
2005250363.tif 000002
【特許請求の範囲】
【請求項１】
光軸に対して前後方向に移動して焦点調節または変倍操作を行う対物レンズと、接眼レンズとを備える左右２つの光学系を有する双眼拡大鏡において、前記対物レンズの前方に、等しい偏角を有し、前記対物レンズの前後方向への移動に連動して光軸に対して互いに逆方向に回転する左右２枚のウェッジプリズムを備えることを特徴とする双眼拡大鏡。
【請求項２】
前記各光学系は、前記対物レンズの前方に、等しい偏角を有し、前記対物レンズの前後方向への移動に連動して光軸に対して互いに逆方向に回転する前後２枚のウェッジプリズムをそれぞれ備えることを特徴とする請求項１に記載の双眼拡大鏡。
【請求項３】
前記対物レンズは装置の前後方向に設けられたシャフトに螺合した対物レンズ支持材により支持され、
前記ウェッジプリズムの外周部には円形のギア部が設けられ、
前記シャフトの前端には前記ギア部と噛合するギア列が設けられていることを特徴とする請求項１または２に記載の双眼拡大鏡。
【請求項４】
前記ウェッジプリズムは色消しプリズムであることを特徴とする請求項１〜３のいずれか一項に記載の双眼拡大鏡。
【発明の詳細な説明】
【技術分野】
【０００１】
本発明は、外科手術等で用いる手術用の双眼拡大鏡に関する。
【背景技術】
【０００２】
双眼拡大鏡では、術者の頭部に筐体を装着し、左右の目にそれぞれ別の光学系を用いて観察物を観察することにより、遠近感を生じさせ立体視を可能にしている（例えば、特許文献１参照）。
【０００３】
複数の光学系によって観察物を観察する場合、観察物の位置が前後すると、それぞれの光学系の視野ずれ（パララックス）は大きくなる。この傾向は倍率が高くなるほど強い。
【０００４】
パララックスを補正するために、対物レンズや接眼レンズをそれぞれ光軸方向や光軸に垂直な方向に動かして光軸を補正する方法があった（例えば、特許文献２参照）。
【特許文献１】特許３４２９５２９号明細書
【特許文献２】特許３３７５４０７号明細書
【発明の開示】
【発明が解決しようとする課題】
【０００５】
しかし、対物レンズや接眼レンズを光軸方向に動かす機構や光軸に垂直な方向に動かす機構を設けると、装置が大型化し重量が増え、装着する術者が疲労しやすくなる。また装置の価格が上昇するという問題があった。
【０００６】
また、パララックスを補正するために、対物レンズの光軸と接眼レンズの光軸とをずらすことで、コマ収差が発生するという問題もあった。
【０００７】
本発明の課題は、収差が発生しないパララックスの補正機構を備える双眼拡大鏡を提供することである。
【課題を解決するための手段】
【０００８】
以上の課題を解決するため、請求項１に記載の発明は、図１に示すように、光軸に対して前後方向に移動して焦点調節または変倍操作を行う対物レンズ１Ｌ、１Ｒと、接眼レンズ３Ｌ、３Ｒとを備える左右２つの光学系を有する双眼拡大鏡において、前記対物レンズ１Ｌ、１Ｒの前方に、等しい偏角を有し、前記対物レンズ１Ｌ、１Ｒの前後方向への移動に連動して光軸に対して互いに逆方向に回転する左右２枚のウェッジプリズム２Ｌ、２Ｒを備えることを特徴とする。
【０００９】
無限遠方の観察物を観察する時には、ウェッジプリズム２Ｌ、２Ｒを、図２（ａ）に示すように、上に向かって厚くなるように配置する。また、図２（ａ）に示すように、双眼拡大鏡全体を前側が下となるように傾斜させて配置する。このとき、観察物からの光は、図２（ａ）に示すように、無限遠方から平行にウェッジプリズム２Ｌ、２Ｒに入射して屈折し、図１に示すように、平行に各対物レンズ１Ｌ、１Ｒに入射する（光路Ａ）。
【００１０】
最至近の観察物を観察する時には、ウェッジプリズム２Ｌ、２Ｒを互いに逆方向に９０°ずつ回転させ、図１に実線で示すように、ウェッジプリズム２Ｌ、２Ｒをともに装置の中心側に向かって厚くなるように配置する。また、図２（ｂ）に示すように、双眼拡大鏡全体を水平に配置する。このとき、装置の中心軸ｌの前方の観察物からの光は、ウェッジプリズム２Ｌ、２Ｒでそれぞれ屈折し、図１に示すように、無限遠方の観察物を観察する時と同じ光路を通って対物レンズ１に入射する（光路Ｂ）。
【００１１】
観察物が最至近の位置と無限遠方の位置との間にあるときには、ウェッジプリズム２Ｌ、２Ｒを図２（ａ）と図２（ｂ）との間で０〜９０°回転させるとともに、双眼拡大鏡の角度を図２（ａ）と図２（ｂ）との間で変えることで、常に観察物からの光を視野の中心に入射させることができる。
【００１２】
このように、請求項１に記載の発明によれば、等しい偏角を有するウェッジプリズム２Ｌ、２Ｒを各対物レンズ１Ｌ、１Ｒの前方に設け、対物レンズ１Ｌ、１Ｒの前後方向への移動に連動して光軸に対して互いに逆方向に回転させることで、観察物との距離に応じて観察物からの光の光路を変化させ、観察物を常に視野の中心で観察することができる。したがって、対物レンズ１Ｌ、１Ｒの光軸と接眼レンズ３Ｌ、３Ｒの光軸とを一致させた状態で焦点調節または変倍操作を行うことができ、コマ収差を発生させずにパララックスの補正をすることができる。
【００１３】
請求項２に記載の発明は、請求項１に記載の双眼拡大鏡において、図６に示すように、前記各光学系は、前記対物レンズ１Ｌ、１Ｒの前方に、等しい偏角を有し、前記対物レンズ１Ｌ、１Ｒの前後方向への移動に連動して光軸に対して互いに逆方向に回転する前後２枚のウェッジプリズム２（前側プリズム２ａＬ、２ａＲ、及び後側プリズム２ｂＬ、２ｂＲ）をそれぞれ備えることを特徴とする。
【００１４】
無限遠方位置の観察物を観察する時には、例えば図７（ａ）に示すように、一方のウェッジプリズム２（前側プリズム２ａＬ、２ａＲ）を下に向かって厚くなるように配置するとともに、他方のウェッジプリズム２（後側プリズム２ｂＬ、２ｂＲ）を上に向かって厚くなるように配置する。このとき、２枚のウェッジプリズム２が上下反対方向の偏角を有するため、観察物からの光は無限遠方からほぼ一直線に対物レンズ１に入射する（光路Ａ）。
【００１５】
一方、最至近の位置の観察物を観察する時には、２枚のウェッジプリズム２を図７の位置から互いに逆方向に９０°ずつ回転し、図７（ｂ）に示すように、ウェッジプリズム２の厚い側の端部が装置の中心側にくるようにする。このとき、装置の中心軸の前方の観察物からの光は、２枚のウェッジプリズム２で屈折し、無限遠方の観察物を観察する時と同じ光路を通って対物レンズ１に入射する（光路Ｂ）。
【００１６】
観察物が無限遠方位置と最至近の位置の間にあるときには、２枚のウェッジプリズム２を０〜９０°の間で互いに逆方向に回転させることで、観察物からの光を常に対物レンズ１の光軸と平行に入射させることができる。
【００１７】
このように、請求項２に記載の発明によれば、等しい偏角を有する前後２枚のウェッジプリズム２を設け、対物レンズ１の前後方向への移動に連動して光軸に対して互いに逆方向に回転させることで、観察物との距離に応じて観察物からの光の光路を水平方向に変化させ、観察物を常に視野の中心で観察することができる。したがって、対物レンズ１の光軸と接眼レンズ３の光軸とを一致させた状態で焦点調節または変倍操作を行うことができ、コマ収差を発生させずにパララックスの補正をすることができる。また、観察物との距離に応じて観察物からの光の光路を水平方向に変化させるため、観察物との距離に応じて観察姿勢を変える必要がない。
【００１８】
請求項３に記載の発明は、請求項１または２に記載の双眼拡大鏡において、図８〜図１２に示すように、前記対物レンズ１は装置の前後方向に設けられたシャフト５に螺合した対物レンズ支持材１０により支持され、前記ウェッジプリズム２の外周部には円形のギア部２２Ｌ、２２Ｒが設けられ、前記シャフト５の前端には前記ギア部２２Ｌ、２２Ｒと噛合するギア列６ａ、６ｂが設けられていることを特徴とする。
【００１９】
請求項３に記載の発明によれば、シャフト５を回転させることにより対物レンズ１Ｌ、１Ｒを支持した対物レンズ支持材１０を前後に移動すると同時に、シャフト５の回転をギア列６ａ、６ｂによりギア部２２Ｌ、２２Ｒに伝達することで、ウェッジプリズム２を回転させることができるため、対物レンズ１Ｌ、１Ｒの前後方向への移動に連動してウェッジプリズム２を回転させることができる。
【００２０】
請求項４に記載の発明は、請求項１〜３のいずれか一項に記載の双眼拡大鏡において、前記ウェッジプリズム（ウェッジプリズム２Ｌ、２Ｒ、前側プリズム２ａＬ、２ａＲ、及び後側プリズム２ｂＬ、２ｂＲ）は色消しプリズムであることを特徴とする。
【００２１】
請求項４に記載の発明によれば、前記ウェッジプリズム２（ウェッジプリズム２Ｌ、２Ｒ、前側プリズム２ａＬ、２ａＲ、及び後側プリズム２ｂＬ、２ｂＲ）は色消しプリズムであるため、色収差を低減することができる。
【発明の効果】
【００２２】
本発明によれば、対物レンズの光軸と接眼レンズの光軸とを一致させた状態で焦点調節または変倍操作を行うことができ、収差を発生させずにパララックスの補正をすることができる。
【発明を実施するための最良の形態】
【００２３】
以下、本発明の実施の形態について詳細に説明する。図１及び図２は本発明の双眼拡大鏡の実施の形態を示す概念図であり、図１は平面図、図２は側面図である。本発明の双眼拡大鏡は、図１に示すように、装置の中心軸ｌに対して左右対称な２つの光学系を有する。
【００２４】
各光学系は、接眼レンズ３Ｌ、３Ｒと、正立プリズム４Ｌ、４Ｒと、対物レンズ１Ｌ、１Ｒとを備える。この双眼拡大鏡では、対物レンズ１を前後方向に移動することで焦点調節、及び変倍操作を行う。遠位置の観察物を観察する時は、図１に２点鎖線で示したように、対物レンズ１Ｌ、１Ｒを最後方に位置させる。また、最至近の観察物を観察する時は、図１に実線で示したように、対物レンズ１Ｌ、１Ｒを最前方まで移動する。
【００２５】
また、各対物レンズ１Ｌ、１Ｒの前方には、それぞれウェッジプリズム２Ｌ、２Ｒが設けられている。ウェッジプリズム２Ｌ、２Ｒは光軸に対して回転自在に設けられている。なお、色収差を低減するために、接眼レンズ３Ｌ、３Ｒ及び対物レンズ１Ｌ、１Ｒには色消しレンズを用いることが好ましく、ウェッジプリズム２Ｌ、２Ｒには色消しプリズムを用いることが好ましい。
【００２６】
無限遠方の観察物を観察する時は、ウェッジプリズム２Ｌ、２Ｒを、図２（ａ）に示すように、上に向かって厚くなるように配置する。また、図２（ａ）に示すように、双眼拡大鏡全体を前側が下となるように傾斜させて配置する。このとき、観察物からの光は、図２（ａ）に示すように、無限遠方から平行にウェッジプリズム２Ｌ、２Ｒに入射して屈折し、図１に示すように、平行に各対物レンズ１Ｌ、１Ｒに入射する（光路Ａ）。なお、ウェッジプリズム２Ｌ、２Ｒを下に向かって厚くなるように配置するとともに、双眼拡大鏡全体を前側が上になるように傾斜させて配置してもよい。
【００２７】
最至近の観察物を観察する時は、ウェッジプリズム２Ｌ、２Ｒを互いに逆方向に９０°ずつ回転させ、図１に実線で示すように、ウェッジプリズム２Ｌ、２Ｒをともに装置の中心側に向かって厚くなるように配置する。また、図２（ｂ）に示すように、双眼拡大鏡全体を水平に配置する。このとき、装置の中心軸ｌの前方の観察物からの光は、ウェッジプリズム２Ｌ、２Ｒでそれぞれ屈折し、図１に示すように、無限遠方の観察物を観察する時と同じ光路を通って対物レンズ１に入射する（光路Ｂ）。
【００２８】
観察物が最至近の位置と無限遠方の位置との間にあるときには、ウェッジプリズム２Ｌ、２Ｒを図２（ａ）と図２（ｂ）との間で０〜９０°回転させるとともに、双眼拡大鏡の角度を図２（ａ）と図２（ｂ）との間で変えることで、常に観察物からの光を視野の中心に入射させることができる。
【００２９】
次に、本実施の形態における双眼拡大鏡の対物レンズ１の前後方向への移動と、ウェッジプリズム２Ｌ、２Ｒの回転とを連動させる駆動機構について例を挙げて説明する。図３において、対物レンズ１は対物レンズ支持材１０に支持されており、ウェッジプリズム２Ｌ、２Ｒは、ウェッジプリズム支持材２０Ｌ、２０Ｒによりそれぞれ支持されている。ウェッジプリズム支持材２０Ｌ、２０Ｒは、双眼拡大鏡の筐体２１により、径方向に回動自在に支持されている。
【００３０】
ウェッジプリズム支持材２０Ｌ、２０Ｒは、図４に示すように、外周が円形であり、その中心にウェッジプリズム２Ｌ、２Ｒをそれぞれ支持している。また、左右のウェッジプリズム支持材２０Ｌ、２０Ｒの外周部には、それぞれギア部２２Ｌ、２２Ｒが設けられている。左右のギア部２２Ｌ、２２Ｒは互いに噛合しており、ウェッジプリズム２Ｌ、２Ｒを同期させて互いに逆方向に回転させる。
【００３１】
双眼拡大鏡のほぼ中心部分には、シャフト５が前後方向に設けられている。シャフト５の外周面にはネジが切られており、対物レンズ支持材１０が螺合している。また、シャフト５の後部には、シャフト５を径方向に回転させる図示しないモーターが設けられている。
【００３２】
また、シャフト５の前部には、ギア列６が設けられている。ギア列６は、図４に示すように、それぞれシャフト５と一体に設けられたギア６１と、ギア６１と噛合している伝達ギア６２とからなる。伝達ギア６２は、シャフト５の回転をギア部２２Ｌ、２２Ｒのいずれか一方に伝達する。
【００３３】
対物レンズ支持材１０は、図５に示すように、左右の対物レンズ１を支持されている。また、対物レンズ支持材１０の中央には、シャフト５と螺合するナット１１が固定されている。対物レンズ支持材１０は、シャフト５が径方向に回転させることにより、前後方向に移動する。
【００３４】
上記構造によれば、シャフト５を回転させることで、対物レンズ１Ｌ、１Ｒを前後動させると同時に、ウェッジプリズム２Ｌ、２Ｒを回転させることができる。なお、無限遠方から最至近距離まで観察物が移動するときの対物レンズ１Ｌ、１Ｒの前後方向の移動量、及び、ウェッジプリズム２Ｌ、２Ｒの回転角度は、シャフト５のネジピッチと、ギア６１、伝達ギア６２、及びギア部２２Ｌ、２２Ｒのギア比とを調整することにより調整することができる。
【００３５】
以上の構造を有する双眼拡大鏡では、シャフト５をモーターで回転させることで、対物レンズ１を前後方向に移動すると同時に、前後のウェッジプリズム２を回転させることができ、焦点調節または変倍操作と同時にパララックスの補正をすることができる。
【００３６】
また、本発明の双眼拡大鏡では、対物レンズ１を光軸に沿って動かすことで焦点調節または変倍操作と同時にパララックスの補正をする。このため、観察物が無限遠方にある場合でも、最至近位置にある場合でも、対物レンズ１及び接眼レンズ３の光軸は常に一致させておくことができる。したがって、コマ収差の発生を防ぐことができる。
【００３７】
次に、本発明の第２の実施の形態について説明する。本実施の形態が第１の実施の形態と異なる点は、図６に示すように、各対物レンズ１Ｌ、１Ｒの前方に、前後２枚のウェッジプリズム２（前側プリズム２ａＬ、２ａＲ、及び後側プリズム２ｂＬ、２ｂＲ）がそれぞれ設けられている点である。なお、ウェッジプリズム２Ｌ、２Ｒと同様に、前側プリズム２ａＬ、２ａＲ、及び後側プリズム２ｂＬ、２ｂＲには色消しプリズムを用いることが好ましい。
【００３８】
前側プリズム２ａＬ、２ａＲ、及び後側プリズム２ｂＬ、２ｂＲは、それぞれ光軸に対して回転自在に設けられている。無限遠方の観察物を観察する時は、図７（ａ）に示すように、前側プリズム２ａＬ、２ａＲ、または後側プリズム２ｂＬ、２ｂＲのいずれか一方を下に向かって厚くなるように配置するとともに、他方を上に向かって厚くなるように配置する。このとき、前後のウェッジプリズム２は互いに反対方向の偏角を有するため、観察物からの光は無限遠方から平行に各対物レンズ１Ｌ、１Ｒに入射する（光路Ａ）。
【００３９】
なお図７（ａ）においては、前側プリズム２ａＬ、２ａＲを下に向かって厚くなるように配置するとともに、後側プリズム２ｂＬ、２ｂＲを上に向かって厚くなるように配置したが、前側プリズム２ａＬ、２ａＲを上に向かって厚くなるように配置するとともに、後側プリズム２ｂＬ、２ｂＲを下に向かって厚くなるように配置してもよい。
【００４０】
最至近の観察物を観察する時は、前側プリズム２ａＬ、２ａＲと、後側プリズム２ｂＬ、２ｂＲとを互いに逆方向に９０°ずつ回転させ、図７（ｂ）に示すように、前側プリズム２ａＬ、２ａＲ、及び後側プリズム２ｂＬ、２ｂＲをともに装置の中心側に向かって厚くなるように配置する。このとき、装置の中心軸ｌの前方の観察物からの光は、前側プリズム２ａＬ、２ａＲ、及び後側プリズム２ｂＬ、２ｂＲでそれぞれ１回ずつ屈折し、図６に示すように、無限遠方の観察物を観察する時と同じ光路を通って対物レンズ１に入射する（光路Ｂ）。
【００４１】
観察物が最至近の位置と無限遠方の位置との間にあるときには、前側プリズム２ａＬ、２ａＲ、及び後側プリズム２ｂＬ、２ｂＲを図７（ａ）と図７（ｂ）との間で０〜９０°回転させることで、常に観察物からの光を視野の中心に入射させることができる。
【００４２】
次に、本実施の形態における双眼拡大鏡の対物レンズ１の前後方向への移動と、前側プリズム２ａＬ、２ａＲ、及び後側プリズム２ｂＬ、２ｂＲの回転とを連動させる駆動機構について例を挙げて説明する。
【００４３】
図８において、対物レンズ１は、第１の実施の形態と同様に、対物レンズ支持材１０に支持されている。また、前側プリズム２ａＬ、２ａＲ、及び後側プリズム２ｂＬ、２ｂＲは、前後左右４つのウェッジプリズム支持材２０ａＬ、２０ａＲ、２０ｂＬ、２０ｂＲによりそれぞれ支持されている。ウェッジプリズム支持材２０ａＬ、２０ａＲ、２０ｂＬ、２０ｂＲは、双眼拡大鏡の筐体２１により、径方向に回動自在に支持されている。
【００４４】
ウェッジプリズム支持材２０ａＬ、２０ａＲ、２０ｂＬ、２０ｂＲは、図９、図１０に示すように、外周が円形であり、その中心に前側プリズム２ａＬ、２ａＲ、後側プリズム２ｂＬ、２ｂＲのいずれか１つを支持している。また、左右のウェッジプリズム支持材２０ａＬ、２０ａＲ、２０ｂＬ、２０ｂＲの外周部には、それぞれギア部２２Ｌ、２２Ｒが設けられている。左右のギア部２２Ｌ、２２Ｒは互いに噛合しており、前側プリズム２ａＬ、２ａＲ同士、及び後側プリズム２ｂＬ、２ｂＲ同士を同期させて逆方向に回転させる。
【００４５】
また、第１の実施の形態と同様に、双眼拡大鏡のほぼ中心部分には、シャフト５が前後方向に設けられている。シャフト５の外周面にはネジが切られており、第１の実施の形態と同様の対物レンズ支持材１０が螺合している。また、シャフト５の後部には、シャフト５を径方向に回転させる図示しないモーターが設けられている。
【００４６】
また、シャフト５の前部には、ギア列６ａ、６ｂが設けられている。ギア列６ａ、６ｂは、図９、図１０に示すように、それぞれシャフト５と一体に設けられたギア６１と、ギア６１と噛合している伝達ギア６２とからなる。伝達ギア６２は、シャフト５の回転をギア部２２Ｌ、２２Ｒのいずれか一方に伝達する。
【００４７】
無限遠方から最至近距離まで観察物が移動するときの対物レンズ１の前後方向の移動量、及び、ウェッジプリズム２ａ、２ｂの回転角度は、シャフト５のネジピッチと、ギア６１、伝達ギア６２、及びギア部２２ａ、２２ｂのギア比とを調整することにより合わせる。
【００４８】
前側プリズム２ａＬと後側プリズム２ｂＬ、前側プリズム２ａＲと後側プリズム２ｂＲとを互いに逆方向に回転させる駆動機構について以下に説明する。前側のギア列６ａでは、図９に示すように、伝達ギア６２が左側のギア部２２Ｌにシャフト５の回転を伝達する。
【００４９】
一方、後側のギア列６ｂでは、図１０に示すように、伝達ギア６２が右側のギア部２２Ｒにシャフト５の回転を伝達する。このように、シャフト５の回転を前後のギア列６で左右反対のギア部２２に伝達することで、前側プリズム２ａＬと後側プリズム２ｂＬ、前側プリズム２ａＲと後側プリズム２ｂＲとを反対方向に回転させることができる。
【００５０】
なお、前側のギア列６ａで図１０に示すように、伝達ギア６２が右側のギア部２２Ｒにシャフト５の回転を伝達し、後側のギア列６ｂで図９に示すように、伝達ギア６２が左側のギア部２２Ｌにシャフト５の回転を伝達することで、前側プリズム２ａＬと後側プリズム２ｂＬ、前側プリズム２ａＲと後側プリズム２ｂＲとを反対方向に回転させるようにしてもよい。
【００５１】
また、図１１及び図１２に示すように、前側のギア列６ａで、伝達ギア６２を２つにし、２つの伝達ギア６２を介してギア部２２Ｒ（または２２Ｌ）にシャフト５の回転を伝達するとともに、後側のギア列６ｂでは、図１０に示すように、１つの伝達ギア６２を介して右側のギア部２２Ｒ（または２２Ｌ）にシャフト５の回転を伝達することで、前側プリズム２ａＬと後側プリズム２ｂＬ、前側プリズム２ａＲと後側プリズム２ｂＲとを反対方向に回転させるようにしてもよい。
【００５２】
逆に、前側のギア列６ａでは、図１０に示すように、１つの伝達ギア６２が右側のギア部２２Ｒ（または２２Ｌ）にシャフト５の回転を伝達するとともに、後側のギア列６ｂでは、伝達ギア６２を２つにし、２つの伝達ギア６２を介して右側のギア部２２Ｒ（または２２Ｌ）にシャフト５の回転を伝達することで、前側プリズム２ａＬと後側プリズム２ｂＬ、前側プリズム２ａＲと後側プリズム２ｂＲとを反対方向に回転させるようにしてもよい。
【００５３】
本実施の形態の双眼拡大鏡によれば、左右の光学系が前側プリズム２ａＬ、２ａＲ、及び後側プリズム２ｂＬ、２ｂＲを用いることで、無限遠方の観察時にも、また近位置の観察時にも、双眼拡大鏡を傾けることなく同じ姿勢で観察することができる。
【００５４】
なお、図９、図１０、及び図１２においては、前側プリズム２ａＬ、２ａＲ、及び後側プリズム２ａＬ、２ａＲとして、円形のウェッジプリズムを用いたが、図７に示すような方形のウェッジプリズムを用いてもよい。
【００５５】
また、以上の実施の形態においては、ウェッジプリズムを回転させるのにギア列を用いたが、ベルト等の動力伝達機構を用いてもよいし、ウェッジプリズム及び対物レンズにそれぞれ独立の動力機構を用いるとともに、これらを同期させて駆動してもよい。
【００５６】
また、本発明の双眼拡大鏡は、両目で観察するための左右対称な２つの光学系の他に、例えばビデオ撮影用等、他の光学系を有していてもよい。その他具体的な細部構造等についても適宜に変更可能であることはもちろんである。
【図面の簡単な説明】
【００５７】
【図１】本発明の双眼拡大鏡を示す模式図であり、平面図である。
【図２】本発明の双眼拡大鏡を示す模式図であり、（ａ）は無限遠方位置の観察物を観察するとき、（ｂ）は最至近位置の観察物を観察するときの状態を示す側面図である。
【図３】本発明の双眼拡大鏡の対物レンズ及びウェッジプリズムの駆動機構を示す概略図である。
【図４】本発明の双眼拡大鏡のウェッジプリズムの駆動機構を示す立面図である。
【図５】本発明の双眼拡大鏡の対物レンズ支持材を示す立面図である。
【図６】本発明の双眼拡大鏡を示す模式図であり、平面図である。
【図７】本発明の双眼拡大鏡に設けられた２対のウェッジプリズムを示す模式図であり、（ａ）は無限遠方位置の観察物を観察するとき、（ｂ）は最至近位置の観察物を観察するときのウェッジプリズムの状態を示す斜視図である。
【図８】本発明の双眼拡大鏡の対物レンズ及びウェッジプリズムの駆動機構を示す概略図であり、平面図である。
【図９】本発明の双眼拡大鏡のウェッジプリズムの駆動機構を示す立面図である。
【図１０】本発明の双眼拡大鏡のウェッジプリズムの駆動機構を示す立面図である。
【図１１】本発明の双眼拡大鏡の対物レンズ及びウェッジプリズムの駆動機構を示す概略図であり、平面図である。
【図１２】本発明の双眼拡大鏡のウェッジプリズムの駆動機構を示す立面図である。
【符号の説明】
【００５８】
１Ｌ、１Ｒ    対物レンズ
１０   対物レンズ支持材
２     ウェッジプリズム
２ａＬ、２ａＲ       前側プリズム
２ｂＬ、２ｂＲ       後側プリズム
２２Ｌ、２２Ｒ       ギア部
３Ｌ、３Ｒ    接眼レンズ
５     シャフト
６ａ、６ｂ    ギア列
１０   対物レンズ支持材
２２Ｌ、２２Ｒ       ギア部
【図１】
2005250363.tif 000003
【図２】
2005250363.tif 000004
【図３】
2005250363.tif 000005
【図４】
2005250363.tif 000006
【図５】
2005250363.tif 000007
【図６】
2005250363.tif 000008
【図７】
2005250363.tif 000009
【図８】
2005250363.tif 000010
【図９】
2005250363.tif 000011
【図１０】
2005250363.tif 000012
【図１１】
2005250363.tif 000013
【図１２】
2005250363.tif 000014